(57)【要約】      （修正有）【課題】既存の棚板上に単に載置するだけで、地震発生時、例えばスーパー等の陳列棚にある商品の落下阻止を図るため商品落下防止具の提供。【解決手段】棚板Ａ上に載置するために矩形枠状を呈した商品落下防止具の矩形状基板１の上面に、棚板Ａ上に載置した場合に棚板の先端側から奥方向側に下るテーパ面が形成されるように簀子状枠板２を列設する。【選択図】図１
2013252205.tif 000002
【特許請求の範囲】
【請求項１】
棚板上に載置するための矩形枠状を呈し、その上面は棚板の先端側から奥方向側に下るテーパ面とするように構成したことを特徴とする商品落下防止具。
【請求項２】
矩形状基板(１)の上面に全長に亘って、互いに所定間隔を保って幅方向に平行するように簀子状枠板(２…)を列設し、当該簀子状枠板(２…)の各上縁は、棚板の先端側から奥方向側に下るテーパ面とするように形成した請求項１に記載の商品落下防止具。
【請求項３】
各簀子状枠板(２…)には、各自が等間隔にしてかつ全体としてみた場合に横一直線状を呈する軌跡を描くように上面開口のスリット(2a…)を形成して成る請求項２に記載の商品落下防止具。
【請求項４】
矩形状基板(１)の下面に適宜滑り止め手段を施してなる請求項２または請求項３の何れかに記載の商品落下防止具。
【発明の詳細な説明】
【技術分野】
【０００１】
本発明は地震発生時、例えばスーパー等の陳列棚にある商品の落下阻止を図るための商品落下防止具に関する。
【背景技術】
【０００２】
従来の商品落下防止装置は、棚の先端部分に商品の落下を阻止するための部材を開閉自在に取り付けるように構成したものであった（例えば、特許文献１及び特許文献２参照。）
【先行技術文献】
【特許文献】
【０００３】
【特許文献１】特開２０１０−１８７８５０号公報
【特許文献２】特開２０１０−１９４１５７号公報
【発明の概要】
【発明が解決しようとする課題】
【０００４】
上述したような従来の手段であると、棚に対する商品の出し入れの度、その落下防止用部材の開閉操作を行わなければならないため、商品管理上の煩雑性が生じた。  更に、既存の棚に対する実施に際しては、相応の改良を要するため、費用的負担性も著しいものがあった。  
【０００５】
本発明はこのような従来の問題を解決し、既存の棚に対して単に載置するだけで、商品落下防止効果が奏されるようにした、新規の商品落下防止具という製品の提供を図ったものである。
【課題を解決するための手段】
【０００６】
本発明は請求項１に記載のように、所要の棚板上に載置するための矩形枠状を呈し、その上面は棚板の先端側から奥方向側に下るテーパ面とするように構成したことを特徴とする商品落下防止具に係る。
【０００７】
本発明は請求項２に記載のように、矩形状基板１の上面に全長に亘って、互いに所定間隔を保って平行するように簀子状枠板２…を列設し、当該簀子状枠板２…の各上縁は、棚板の先端側から奥方向側に下るテーパ面とするように形成した請求項１に記載の商品落下防止具を実施の態様とする。
【０００８】
本発明は請求項３に記載のように、各簀子状枠板２…には、各自が等間隔にしてかつ全体としてみた場合に横一直線状を呈する軌跡を描くように上面開口のスリット2a…を形成して成る請求項２に記載の商品落下防止具。
【０００９】
本発明は請求項２に記載のように、矩形状基板１の下面に適宜滑り止め手段を施してなる請求項２または請求項３の何れかに記載の商品落下防止具を実施の態様とする。
【発明の効果】
【００１０】
本発明は請求項１に記載のような構成、すなわち、棚板上に載置するための矩形枠状を呈し、その上面は棚板の先端側から奥方向側に下るテーパ面とするように構成したから、本発明品の上に並べた商品は、棚の奥方向に傾斜させられているため、地震の発生に基づき揺れ動いても、奥方向に倒れるだけで済み、棚の前方から落下して破損させてしまったり、フロアー上を汚してしまったりするような事態発生を未然に防止する。
【００１１】
更に、本発明は目的とする棚板等に置くだけで、既存の陳列棚等が耐震機能を具えた陳列棚とすることが出来る。  従って、本発明の実施は極めて簡単かつ廉価に果たされると同時に、家庭用の食器棚等に対する実施にも適したものとされる。
【００１２】
本発明は請求項２に記載のような構成、すなわち、矩形状基板１の上面に全長に亘って、互いに所定間隔を保って幅方向に平行するように簀子状枠板２…を列設し、当該簀子状枠板２…の各上縁は、棚板の先端側から奥方向側に下るテーパ面とするように形成したから、請求項１の場合と同様な作用効果を奏することができる。
【００１３】
同時に、本発明は天地を逆転させても、上面を所要のテーパ面とすることが出来るため、例えば細かな商品等の場合は、矩形状基板１側を上面とするようにセットすることに依り、簀子状枠板２…の間から商品が落ちたり傾いてしまったりするような事柄を回避する。  そして、このような切り替えは極めて簡単に行うことが出来る。
【００１４】
本発明は請求項３に記載のような構成、すなわち、各簀子状枠板２…には、各自が等間隔にしてかつ全体としてみた場合に横一直線状を呈する軌跡を描くように上面開口のスリット2a…を形成したから、当該スリット2a…中の所要の位置で裁断することに依り、本発明品の全長を棚板に適応させるような長さでの裁断、若しくは、例えば手前の部分だけに位置させるような長さ(図１に示されている最上段の棚のような形態)での裁断と言うように、所要長さでの裁断の目安と切断作業の容易性が図られることとなる。
【００１５】
更に、当該上面開口のスリット2a…の存在は、プライスカード、商品説明用カード等のカード立てとしての利用、若しくは適宜の仕切板立設用としての利用等、その他適宜の多目的利用を図ることができる。
【００１６】
本発明は請求項４に記載のような構成、すなわち、矩形状基板１の下面に適宜滑り止め手段を施すように構成したから、地震発生時に簡単にズレ動いてしまうような事態を防止する。
【図面の簡単な説明】
【００１７】
【図１】本発明の使用状態を表した説明用断面図である。
【図２】本発明の側面図である。
【図３】本発明の平面図である。
【図４】本発明の切断形態の一例を表した側面図である。
【発明を実施するための形態】
【００１８】
本発明は、棚板上に載置するための矩形枠状を呈し、その上面は棚板の先端側から奥方向側に下るテーパ面とするようにしたことを骨子的構成とする。
【００１９】
図は本発明の具体的実施例を表したものである。  図面において、１は矩形状基板であって、所要の棚板上等に載置するためのものである。  ２…は当該矩形状基板１の上面に互いに所定間隔を保って幅方向に平行するように列設した簀子状枠板であって、その各上縁は、棚板の先端側から奥方向側に下るテーパ面とするように形成してある。
【００２０】
換言すると、当該各簀子状枠板２の上縁は、先高傾斜なテーパ縁とするように構成してある。  そして、当該各簀子状枠板２の上縁で形成される面は、商品載置用面として機能するように構成してある。
【００２１】
上記した簀子状枠板２…であるが、これには、各自が等間隔にしてかつ全体としてみた場合に横一直線状を呈する軌跡を描くように、上面開口のスリット2a…を形成してある。  当該スリットは2a…は、本発明品を所要長さで切断するに際しての案内と、プライスカード、商品説明用カード等のカード立てとしての利用、若しくは適宜の仕切板立設用としての利用等、その他適宜の多目的利用が図られるように構成してある。
【００２２】
ところで、矩形状基板１と各簀子状枠板２…であるが、これは一体に成形することを原則とするが、別体のものを接着等に基づき結合させるように構成しても良い。  また、図２に示す実施例にあっては、矩形状基板１の下面に、滑り止め材３を張設してあるが、これは例えば滑り止め溝を刻設するように構成しても良い。  なお、矩形状基板１と各簀子状枠板２…は木材、合成木材、軟質合成樹脂材等、下記する理由のために切断が容易になされるものが好ましいが、絶対的要件ではない。
【００２３】
本発明に係る商品落下防止具は、必要な長さに切断して使用に供する様に構成したものである。  すなわち、図１に示すように棚板Aの奥行に合わせた長さとすることを基本とする(棚の最下段と中央段に示す状態)。  この場合、本発明品が長すぎた場合は、所要のスリット2a部分で切断して長さ合わせを行う。  そして、図１に示す最上段の棚板に７示すように、棚板の前半部分だけに使用したい場合は、このようなサイズに裁断して使用する。
【００２４】
この場合、図４に示すような状態で切断するわけであるが、切り落とした先部分(図示されている細い部分側)に関しても、これはこれで別の棚板に対する利用が可能である。
【００２５】
本発明品は、その上面テーパ面に商品を載せて使用するわけであるが、この状態にあっては、載置商品は棚の奥方向に傾けられているため、地震が発生してもその前端側から落下してしまうことを防止する。
【００２６】
更に、本発明は逆転状態、すなわち、矩形状基板１を上に向けた状態で使用することもできる。  この場合、上面全体が平坦面とされるため、細かな商品に対する陳列用として適したものとされる。  この状態にあっても、本発明品の上面は、当然ながら、棚板の奥方向に傾斜するテーパ面とされる。
【符号の説明】
【００２７】
１    矩形状基板
２    簀子状枠板
2a    スリット
３    滑り止め材
A     棚板 
【図１】
2013252205.tif 000003
【図２】
2013252205.tif 000004
【図３】
2013252205.tif 000005
【図４】
2013252205.tif 000006